(57)【要約】【課題】地域情報提供システムで利用できる地域情報を地域情報提供者が特定した情報提供する地域、期間、時間、画面の大きさおよび利用者端末にしたがって利用者に提供できるようにする。  また、利用者が地域情報を参照した時間、場所等の履歴を取得し地域情報提供者が確認することができるようにする。【解決手段】利用者端末装置からの選択により、利用可能な施設またはサービスに関する情報を地域情報データベースから取得して、表示する地域情報提供システムにおいて、前記地域情報データベースが地域情報を提供する地域、期間、時間、画面の大きさおよび利用者端末等を特定する情報を有し、該情報に従い表示するようにする。  また、地域情報データベースが有する地域情報を提供した履歴情報を取得し、表示するようにする。【選択図】        図３
2006024026.tif 000002
【特許請求の範囲】
【請求項１】
利用者端末装置からの選択により、利用可能な施設またはサービス等に関する地域情報を地域情報データベースから取得して、表示する地域情報提供システムにおいて、
前記地域情報を提供する地域、期間、時間、画面の大きさおよび選択された利用者端末装置等の少なくとも１つ以上の提供条件で利用者端末装置に表示することを特徴とする地域情報提供システム。
【請求項２】
請求項１における地域情報提供システムにおいて、
地域情報データベースが有する地域情報を提供した履歴情報を取得し、表示することを特徴とする地域情報提供システム。
【請求項３】
利用可能な施設またはサービス等に関する地域情報を有する地域情報データベース備え、顧客操作表示部からの入力により選択した前記地域情報を提供する地域、期間、時間、画面の大きさおよび選択された利用者端末装置等の少なくとも１つ以上の提供条件で表示することを特徴とする利用者端末装置。
【請求項４】
請求項３における利用者端末装置において、
地域情報データベースが有する地域情報を提供した履歴情報を取得し、表示することを特徴とする利用者端末装置。
【発明の詳細な説明】
【技術分野】
【０００１】
本発明は、地域情報提供システムにおける地域情報データベースの情報登録および表示に関する。
【背景技術】
【０００２】
従来は、金融機関の自動取引装置や交通機関の自動券売機を利用することによって、地域の住民または訪問者が各種施設やサービスに関する詳細な情報を容易に入手することができるとともに、施設やサービスの利用申し込みや利用予約をすることができる地域情報提供システムが提案されている（例えば、特許文献１参照）。
【特許文献１】特開２００２−３４２６５８号公報（段落「００２８」〜段落「００３２」、図１）
【発明の開示】
【発明が解決しようとする課題】
【０００３】
しかしながら、上述した従来の技術においては、地域情報提供者が登録した情報は地域情報提供システムを利用できる地域内のすべての利用者端末装置で営業時間内であれば利用者に提供することができるため、地域情報提供システムを運営する事業者が地域情報提供者に地域情報提供システムの使用料を課金する場合、一律の料金を課金していたという問題がある。
【０００４】
また、地域情報提供者が登録した情報を利用者が参照した時間、場所等の記録がされていないため、地域情報提供者は登録した情報が有用であるか否かの判断をすることができないという問題がある。
本発明は、このような問題を解決することを課題とする。
【課題を解決するための手段】
【０００５】
そのため、本発明は、利用者端末装置からの選択により、利用可能な施設またはサービス等に関する地域情報を地域情報データベースから取得して、表示する地域情報提供システムにおいて、前記地域情報を特定した提供条件で利用者端末装置に表示することを特徴とする。
また、地域情報データベースが有する地域情報を提供した履歴情報を取得し、表示することを特徴とする。
【発明の効果】
【０００６】
このようにした本発明は、地域情報提供者が利用者に提供する地域情報について、提供する地域、提供する期間、提供する時間、提供する画面の大きさおよび提供する端末装置等を設定することができるようになり、これらの条件により地域情報提供システムの使用料金を一律に課金するのではなく、それぞれの条件に応じた使用料金の課金が可能になるという効果が得られる。
【０００７】
また、地域情報提供者が登録した地域情報にアクセスした履歴データを取得し、その履歴データを地域情報提供者が確認することができるため、地域情報提供者は登録した地域情報が有用であるか否かの判断をすることができるという効果が得られる。
【発明を実施するための最良の形態】
【０００８】
以下、図面を参照して本発明による地域情報提供システムおよびその利用者端末装置の実施例を説明する。
【実施例】
【０００９】
図１は第１の実施例を示すシステム構成のブロック図、図２は第１の実施例を示す利用者端末装置のブロック図、図３は第１の実施例を示す地域情報データベースの説明図である。
図１において、１はホストコンピュータであり、金融機関や交通機関等に設置され、金融機関においては利用者の口座を管理し預け入れや支払い等の取引を統括し、交通機関においては利用者に乗車券や座席指定券等の発券取引を統括するものである。また、各種地域情報を記憶する地域情報データベース２を備え各種地域情報を利用者に提供するとともに、各種施設の予約等も処理するものである。さらに、予約が成立した場合、利用者に電子メール等でその旨を通知する機能も有している。
【００１０】
３は利用者端末装置であり、金融機関等に設置される自動取引装置や交通機関等に設置される自動券売機等である。この利用者端末装置３は、ホストコンピュータ１と通信回線を介して通信可能に接続され、地域情報データベース２に記憶してある地域情報をダウンロードし表示することができる。なお、ダウンロードは利用者が利用者端末装置３を操作し地域情報を表示する都度行なってもよいし、利用者端末装置３の電源投入時や定期的に行なってもよい。
【００１１】
４は情報提供者端末装置であり、ネットワーク５を介して通信可能にホストコンピュータ１と接続してあり、地域情報データベース２に地域情報を登録することができる。この情報提供者端末装置４は、ＣＰＵ、ＭＰＵ等の演算および制御手段、磁気ディスク、半導体メモリ等の記憶手段、キーボード、マウス等の入力手段、ＣＲＴ、液晶ディスプレイ等の表示手段および通信手段等を備えるものである。なお、情報提供者端末装置４は、有線または無線の公衆通信回線網、専用回線通信網、電話回線網、インターネット等の各種ネットワークを介してホストコンピュータ１に通信可能に接続されるものであれば、いかなるものであってもよく、例えば、パーソナルコンピュータ、携帯電話機、携帯端末、ゲーム機、車両用ナビゲーション装置等である。
【００１２】
図２において、利用者端末装置３は顧客操作表示部２１、入出金部２２、カードリーダ部２３、プリンタ部２４、通帳部２５および制御部２６を備えている。
顧客操作表示部２１は、ＣＲＴや液晶ディスプレイ等の表示部上にタッチパネル等を配置し利用者が入力操作等を行なうものである。利用者が顧客操作表示部２１を操作することによりホストコンピュータ１から地域情報データベース２に記憶してある地域情報をダウンロードし顧客操作表示部２１に表示等する。
【００１３】
入出金部２２は、紙幣入出金機および硬貨入出金機で構成され、紙幣や硬貨の入出金処理を行なうものである。
カードリーダ部２３は、利用者が挿入したカードの磁気ストライプおよびＩＣカードのＩＣチップから情報を読取るものであり、口座番号等の個人情報や地域情報データベース２に登録するための情報等を読取るものである。
【００１４】
プリンタ部２４は、印刷手段であり、ホストコンピュータ１から受信した地域情報、各種割引券や施設利用券等を印刷するものである。
通帳部２５は、利用者が挿入した通帳の磁気ストライプから情報を読み取り、また、通帳に文字を印刷するものである。
制御部２６は、顧客操作表示部２１、入出金部２２、カードリーダ部２３、プリンタ部２４および通帳部２５を含め利用者端末装置３全体の動作を記憶部２７に格納されたソフトウェアに基づいて制御する。また、この制御部２６は図示しない通信部を介してホストコンピュータ１と通信を行なう機能を有している。なお、記憶部２７はメモリやディスク等の記憶装置である。
【００１５】
図３において、３０１は個人情報であり、登録者番号３０２、口座番号３０３およびパスワード３０４で構成される。登録者番号３０２は情報提供者に付与する一意な番号であり、口座番号３０３は利用者が挿入したカードや通帳から読取った口座番号を格納しておくものである。また、パスワード３０４は利用者が入力したパスワードを格納しておくものである。
【００１６】
３０５は、登録地域情報件数であり、地域情報提供者が登録した地域情報つまり、後述する登録地域情報３０７の件数を示すものである。
３０６は、情報提供設定であり1件の登録地域情報３０７が登録情報種別３０８、情報提供地域３０９、情報提供期間３１０、情報提供時間３１１、情報提供端末装置３１２、情報提供画面の大きさ３１３および情報提供画面表示データ３１４で構成されている。利用者端末装置３は地域情報の提供条件である情報提供設定３０６の情報に従い、つまり、情報提供地域３０９により情報を提供する地域、情報提供期間３１０により情報を提供する期間、情報提供時間３１１により情報を提供する時間、情報提供端末装置３１２により情報を提供する利用者端末装置３、情報提供画面の大きさ３１３により情報を提供する画面の大きさを特定して利用者に地域情報を提供する。なお、情報提供設定３０６は1件または1件以上の登録地域情報３０７で構成される。
【００１７】
登録情報種別３０８は登録した情報のカテゴリを示すものであり、例えば、公共施設情報、交通機関情報、宿泊施設情報、飲食店情報等のカテゴリに分類し登録した地域情報がどのカテゴリに属するかを示すものである。
情報提供地域３０９は登録した情報を利用者に提供する地域を示すものであり、例えば、日本全国、県下全域、市内全域、市内全域であって県道沿いに設置されている利用者端末すべて等の登録した情報が利用できる地域を示すものである。
【００１８】
情報提供期間３１０は登録した情報を利用者に提供する期間を示すものであり、例えば、情報を提供する開始日と終了日を示すものである。
情報提供時間３１１は登録した情報を利用者に提供する時間を示すものであり、例えば、営業時間中、午前のみ、午後のみ、さらに、指定した曜日の指定した時間帯等の登録した情報が利用できる時間を示すものである。
【００１９】
情報提供端末装置３１２は登録した情報を利用者に提供する利用者端末装置を示すものであり、例えば、情報を提供する利用者端末装置が存在する営業店や個々の利用者端末装置を指定するものである。
情報提供画面の大きさ３１３は登録した情報を利用者端末装置の画面に表示する画面の大きさを指定する。例えば、一画面全体に表示、画面の２分の１の大きさで表示等を指定するものである。
【００２０】
情報提供画面表示データ３１４は利用者端末装置の画面に地域情報として表示する文言および絵柄等のデータを登録する。利用者が利用者端末装置３の顧客操作表部２１に表示された地域情報選択画面から選択した場合に本情報提供画面表示データ３１４が顧客操作表示部２１の画面に表示される。
３２０は、アクセス履歴件数であり、地域情報提供者が登録した登録地域情報３０７を利用者が参照した件数を示すものである。
【００２１】
３２１はアクセス履歴であり、年月日時分秒３２２、参照地域情報３２３、地域３２４および利用端末装置３２５で構成され、登録地域情報３０７を参照した履歴である。
年月日時分秒３２２は地域情報提供者が登録した登録地域情報３０７を利用者が参照した日付（年月日）と時間（時分秒）を示す。参照地域情報３２３は利用者が参照した登録地域情報３０７を示す。地域３２４は利用者が参照した地域、例えば、都道府県、市町村等を示す。利用端末装置３２５は利用者が使用した利用者端末装置３を示す。
【００２２】
なお、アクセス履歴３２１は利用者端末３からの要求によりホストコンピュータ１が地域情報データベースを検索し登録地域情報３０７を送信したときに参照した履歴として記録する。また、アクセス履歴３２１は年月日時分秒３２２、情報種別３２３、参照地域３２４および利用端末装置３２５で1件を構成し、複数件記録することができる。
上述した構成の作用について図４、図５、図６のフローチャートに従って説明する。
【００２３】
図４は第１の実施例を示す地域情報登録処理のフローチャートである。以下、地域情報を登録する処理をＳ４１からＳ４６に従って説明する。
Ｓ４１：地域情報提供者が利用者端末装置３の顧客操作表示部２１に表示された取引選択画面で情報登録ボタンを押下する。
Ｓ４２：地域情報提供者がカードをカードリーダ部２３または通帳を通帳部２５に挿入すると磁気ストライプ等から口座番号等を読取る。
【００２４】
Ｓ４３：地域情報提供者が利用者端末装置３の顧客操作表示部２１から本人認証のためパスワードを入力する。利用者端末装置３は口座番号とパスワードをホストコンピュータ１に送信し、ホストコンピュータ１で本人認証が行なわれる。
Ｓ４４：地域情報提供者が本人であることが認証されるとホストコンピュータ１は地域情報データベース２を検索し、一意となる新たな登録者番号が付与され利用者端末装置３の顧客操作表示部２１に表示するとともに、地域情報データベース２の登録者番号３０２に格納する。これにより地域情報提供者は自分の登録者番号を知ることができる。また、ホストコンピュータ１はＳ４２で読取った口座番号を口座番号３０３、Ｓ４３で入力したパスワードをパスワード３０４に格納する。なお、登録者番号は一意なものであれば通番等であってもよい。
【００２５】
地域情報提供者はこのとき利用者端末装置３を使用するため、他の地域情報提供者が提供している情報を確認することもでき自分がどのような登録地域情報３０７の情報を設定するか判断することができる。
Ｓ４５：地域情報提供者は情報提供者端末装置４を使用し、登録地域情報３０７の各情報を入力し、ネットワーク５を介してホストコンピュータ１に送信する。なお、登録地域情報３０７は電子メール等でホストコンピュータ１に送信してもよい。
【００２６】
Ｓ４６：ホストコンピュータ１は受信した登録地域情報３０７を地域情報データベース２に格納する。これにより、地域情報提供者が希望する画面表示データや情報提供地域等を設定することができる。
このようにして地域情報データベース２に格納した登録地域情報３０７に従って利用者端末装置３の顧客操作表示部２１に表示し、利用者に地域情報を提供する。また、プリンタ部２４で印刷して利用者に地域情報を提供してもよいし、図示しない音声出力装置で音声案内により地域情報を提供してもよい。
【００２７】
なお、Ｓ４１からＳ４４を地域情報提供者が情報提供端末装置４から入力した口座番号とパスワードをホストコンピュータ１に送信し、ホストコンピュータ１で本人認証を行ない一意となる新たな登録者番号を情報提供端末装置４に表示するようにしてもよい。
図５は第１の実施例を示す地域情報更新処理のフローチャートである。以下、地域情報を更新する処理をＳ５１からＳ５５に従って説明する。
【００２８】
Ｓ５１：地域情報提供者が利用者端末装置３の顧客操作表示部２１に表示された取引選択画面で情報更新ボタンを押下する。
Ｓ５２：地域情報提供者が自分の登録者番号を利用者端末装置３の顧客操作表示部２１で入力する。利用者端末装置３は入力された登録者番号をホストコンピュータ１に送信し、ホストコンピュータ１は地域情報データベース２を検索する。検索した結果、該登録者番号で登録された登録地域情報３０７を利用者端末装置３に送信する。
【００２９】
Ｓ５３：利用者端末装置３は受信した登録地域情報３０７を顧客操作表示部２１に表示する。これにより、地域情報提供者は現在の登録地域情報３０７を知ることができる。
Ｓ５４：地域情報提供者は情報提供者端末装置４を使用し、登録地域情報３０７の更新すべき情報を入力し、ネットワーク５を介してホストコンピュータ１に送信する。なお、新規な登録地域情報３０７を追加することもできる。また、登録地域情報３０７は電子メール等でホストコンピュータ１に送信してもよい。
【００３０】
Ｓ５５：ホストコンピュータ１が受信した登録地域情報３０７を地域情報データベース２に格納する。これにより、地域情報提供者が希望する画面表示データや情報提供地域等に更新することができる。
このようにして地域情報データベース２に格納した登録地域情報３０７に従って利用者端末装置３の顧客操作表示部２１に表示し、利用者に地域情報を提供する。
【００３１】
なお、Ｓ５１からＳ５３を地域情報提供者が情報提供端末装置４から入力した登録者番号をホストコンピュータ１に送信し、ホストコンピュータ１が地域情報データベース２を検索する。検索した結果、該登録者番号で登録された登録地域情報３０７を情報提供端末装置４に送信し表示するようにしてもよい。
以上のように登録または更新した地域情報は、利用者が利用者端末装置３の顧客操作表示部２１に表示された取引選択画面で地域情報検索ボタンを押下することにより顧客操作表示部２１に登録地域情報３０７に従って表示される。
【００３２】
なお、利用者が地域情報検索ボタンを押下したとき利用者にカードの挿入を促し、利用者の口座から利用料金を引き落としてもよいし、また、現金を入金させ利用料金を徴収するようにしてもよい。
図６は第１の実施例を示すアクセス履歴表示処理のフローチャートである。以下にアクセス履歴を表示する処理をＳ６１からＳ６３に従って説明する。
【００３３】
Ｓ６１：域情報提供者が利用者端末装置３の顧客操作表示部２１に表示された取引選択画面でアクセス履歴表示ボタンを押下する。
Ｓ６２：地域情報提供者が自分の登録者番号を利用者端末装置３の顧客操作表示部２１で入力する。利用者端末装置３は入力された登録者番号をホストコンピュータ１に送信し、ホストコンピュータ１は地域情報データベース２を検索する。検索した結果、該登録者番号で登録されたアクセス履歴３２１を利用者端末装置３に送信する。
【００３４】
Ｓ６３：利用者端末装置３は受信したアクセス履歴３２１を顧客操作表示部２１に表示する。つまり、利用者が地域情報にアクセスした年月日時分秒３２２、参照地域情報３２３、地域３２４、利用端末装置３２５を表示する。これにより、地域情報提供者はアクセス履歴３２１を知ることができる。
なお、Ｓ６１からＳ６３を情報提供端末装置４から登録者番号をホストコンピュータ１に送信し、ホストコンピュータ１で地域情報データベース２を検索したアクセス履歴３２１を情報提供端末装置４に送信し表示するようにしてもよい。
【００３５】
以上説明したように、第１の実施例では、地域情報提供者が利用者に提供する地域情報について、提供する地域、提供する期間、提供する時間、提供する画面の大きさおよび提供する端末装置等を設定することができるようになり、これらの条件により地域情報提供システムの使用料金を一律に課金するのではなく、それぞれの条件に応じた使用料金の課金が可能になるという効果が得られる。
【００３６】
また、地域情報提供者が登録した地域情報にアクセスした履歴データを取得し、その履歴データを地域情報提供者が確認することができるため、地域情報提供者は登録した地域情報が有用であるか否かの判断をすることができるという効果が得られる。
図７は本発明の第２の実施例を示すシステム構成のブロック図であり、図８は第２の実施例を示す利用者端末のブロック図ある。
【００３７】
この第２の実施例は図７に示すように地域情報データベース２を利用者端末装置３に配置するものである。また、図８において、記憶部２７に地域情報データベース２を配置する。
なお、上述した第１の実施例と同様の部分は、同一の符号を付してその説明を省略する。
【００３８】
上述した構成の作用について図４、図５、図６のフローチャートに従って説明する。
以下、地域情報を登録する処理を図４のＳ４１からＳ４６に従って説明する。
Ｓ４１：地域情報提供者が利用者端末装置３の顧客操作表示部２１に表示された取引選択画面で情報登録ボタンを押下する。
Ｓ４２：地域情報提供者がカードをカードリーダ部２３または通帳を通帳部２５に挿入すると磁気ストライプ等から口座番号等を読取る。
【００３９】
Ｓ４３：地域情報提供者が利用者端末装置３の顧客操作表示部２１から本人認証のためパスワードを入力する。利用者端末装置３は口座番号とパスワードをホストコンピュータ１に送信し、ホストコンピュータ１で本人認証が行なわれる。
Ｓ４４：ホストコンピュータ１で地域情報提供者が本人であることが認証されると利用者端末装置３は地域情報データベース２を検索し、一意となる新たな登録者番号を付与し、その登録者番号を顧客操作表示部２１に表示するとともに、地域情報データベース２の登録者番号３０２に格納する。これにより地域情報提供者は自分の登録者番号を知ることができる。また、利用者端末装置３はＳ４２で読取った口座番号を口座番号３０３、Ｓ４３で入力したパスワードをパスワード３０４に格納する。なお、登録者番号は一意なものであれば通番等でよい。
【００４０】
Ｓ４５：地域情報提供者は利用者端末装置３を使用し、登録地域情報３０７の各情報を入力する。このとき、情報提供画面表示データ３１４等の入力するデータを予めＩＣカードに記憶させカードリーダ部２３で読み取るようにしてもよい。
Ｓ４６：利用者端末装置３は入力された登録地域情報３０７を地域情報データベース２に格納する。これにより、地域情報提供者が希望する画面表示データや情報提供地域等を設定することができる。
【００４１】
このようにして地域情報データベース２に格納した登録地域情報３０７に従って利用者端末装置３に表示し、利用者に地域情報を提供する。
以下、地域情報を更新する処理を図５のＳ５１からＳ５５に従って説明する。
Ｓ５１：地域情報提供者が利用者端末装置３の顧客操作表示部２１に表示された取引選択画面で情報更新ボタンを押下する。
【００４２】
Ｓ５２：地域情報提供者が自分の登録者番号を利用者端末装置３の顧客操作表示部２１で入力する。利用者端末装置３は入力された登録者番号をもとに地域情報データベース２を検索する。
Ｓ５３：利用者端末装置３は検索した登録地域情報３０７を顧客操作表示部２１に表示する。これにより、地域情報提供者は現在の登録地域情報３０７を知ることができる。
【００４３】
Ｓ５４：地域情報提供者は利用者端末装置３を使用し、登録地域情報３０７の更新すべき情報を入力する。このとき、情報提供画面表示データ３１４等の入力するデータを予めＩＣカードに記憶させカードリーダ部２３で読み取るようにしてもよい。
Ｓ５５：利用者端末装置３は入力した登録地域情報３０７を地域情報データベース２に格納する。これにより、地域情報提供者が希望する画面表示データや情報提供地域等に更新することができる。
【００４４】
このようにして地域情報データベース２に格納した登録地域情報３０７に従って利用者端末装置３に表示し、利用者に地域情報を提供する。
以下にアクセス履歴を表示する処理を図６のＳ６１からＳ６３に従って説明する。
Ｓ６１：域情報提供者が利用者端末装置３の顧客操作表示部２１に表示された取引選択画面でアクセス履歴表示ボタンを押下する。
【００４５】
Ｓ６２：地域情報提供者が自分の登録者番号を利用者端末装置３の顧客操作表示部２１で入力する。利用者端末装置３は入力された登録者番号をもとに地域情報データベース２を検索する。
Ｓ６３：利用者端末装置３は検索した結果のアクセス履歴３２１を顧客操作表示部２１に表示する。これにより、地域情報提供者はアクセス履歴３２１を知ることができる。
【００４６】
以上説明したように、第２の実施例では、第１の実施例の効果に加え、地域情報提供者は利用者端末装置だけで地域情報の登録、更新およびアクセス履歴の確認ができるため、実際に利用者端末装置の設置場所に出向き利用者の年齢層、性別等を確認した後にその場所で利用者端末装置ごとに別の地域情報を登録等することができる。したがって、地域情報提供者はより有用な地域情報を提供することができるという効果がある。
【図面の簡単な説明】
【００４７】
【図１】第１の実施例を示すシステム構成のブロック図
【図２】第１の実施例を示す利用者端末装置のブロック図
【図３】第１の実施例を示す地域情報データベースの説明図
【図４】第１の実施例を示す地域情報登録処理のフローチャート
【図５】第１の実施例を示す地域情報更新処理のフローチャート
【図６】第１の実施例を示す地域情報アクセス履歴表示処理のフローチャート
【図７】第２の実施例を示すシステム構成のブロック図
【図８】第２の実施例を示す利用者端末装置のブロック図
【符号の説明】
【００４８】
１    ホストコンピュータ
２    地域情報データベース
３    利用者端末装置
４    情報提供者端末装置
２１  顧客操作表示部
２２  入出金部
２３  カードリーダ部
２４  プリンタ部
２５  通帳部
２６  制御部
２７  記憶部
３０１  個人情報
３０２  登録者番号
３０３  口座番号
３０４  パスワード
３０５  登録地域情報件数
３０６  情報提供設定
３０７  登録地域情報
３０８  登録情報種別
３０９  情報提供地域
３１０  情報提供期間
３１１  情報提供時間
３１２  情報提供端末装置
３１３  情報提供画面の大きさ
３１４  情報提供画面表示データ
３２０  アクセス履歴件数
３２１  アクセス履歴
３２２  年月日時分秒
３２３  参照地域情報
３２４  地域
３２５  利用端末装置
【図１】
2006024026.tif 000003
【図２】
2006024026.tif 000004
【図３】
2006024026.tif 000005
【図４】
2006024026.tif 000006
【図５】
2006024026.tif 000007
【図６】
2006024026.tif 000008
【図７】
2006024026.tif 000009
【図８】
2006024026.tif 000010